(57)【要約】【課題】仮設トイレからの汚水のみを排出するためのシステムに費やすコストを削減しつつ、仮設トイレからの汚水を排出することを実現する。【解決手段】排水配管システム１は、上流端が建物５内の排水設備６に接続された枝管２０と、枝管２０の下流端に接続された配管部材３０と、配管部材３０よりも上流側に配置された上流側本管と、配管部材３０よりも下流側に配置された第１下流側本管とを有し、排水を下水本管８に向かって排出可能な本管１０と、を備えている。配管部材３０は、上方に開口し、蓋３および仮設トイレ４の何れか一方を取り付け可能な取付口３９と、上流側本管の下流端が接続された第１流入口３３と、枝管２０の下流端が接続された第２流入口３４と、第１下流側本管の上流端が接続された流出口３５とを有する。【選択図】図３
2020125660.tif 000002
【特許請求の範囲】
【請求項１】
上流端が建物内の排水設備に接続された枝管と、
前記枝管の下流端に接続された配管部材と、
前記配管部材よりも上流側に配置された上流側本管と、前記配管部材よりも下流側に配置された第１下流側本管とを有し、排水を下水本管に向かって排出可能な本管と、
を備え、
前記配管部材は、上方に開口し、蓋および仮設トイレを選択的に取り付け可能な取付口と、前記上流側本管の下流端が接続された第１流入口と、前記枝管の下流端が接続された第２流入口と、前記第１下流側本管の上流端が接続された流出口とを有する、排水配管システム。
【請求項２】
前記配管部材は、前記第１流入口と前記流出口とを繋ぐインバートを有し、
前記第２流入口の下端は、前記インバートよりも上方に配置されている、請求項１に記載された排水配管システム。
【請求項３】
前記上流側本管の上流端に繋がり、前記本管に水を供給する給水手段を備えた、請求項１または２に記載された排水配管システム。
【請求項４】
前記上流側本管の上流端を開閉可能な給水開閉ゲートを備えた、請求項３に記載された排水配管システム。
【請求項５】
前記本管は、前記第１下流側本管よりも下流側に配置された第２下流側本管を有し、
前記第１下流側本管の下流端と、前記第２下流側本管の上流端との間に配置され、前記第１下流側本管の下流端を開閉可能な排出開閉ゲートを備えた、請求項１から４までの何れか１つに記載された排水配管システム。
【請求項６】
前記本管は、
前記第１下流側本管よりも下流側に配置された第２下流側本管と、
前記第２下流側本管よりも下流側に配置され、下流端が前記下水本管に接続された第３下流側本管と、
を有し、
貯留槽と、
前記第２下流側本管と前記第３下流側本管との間に配置され、前記第２下流側本管の下流端、前記第３下流側本管の上流端、および、前記貯留槽に繋がり、前記第２下流側本管から前記第３下流側本管に排水を流す第１の状態と、前記第２下流側本管から前記貯留槽に排水を流す第２の状態とに切り替え可能な流路切替部材と、
を備えた、請求項１から５までの何れか１つに記載された排水配管システム。
【請求項７】
前記本管は、平面視において直線状に延びている、請求項１から６までの何れか１つに記載された排水配管システム。
【発明の詳細な説明】
【技術分野】
【０００１】
本発明は、排水配管システムに関する。
【背景技術】
【０００２】
地震などの災害が発生すると、多数の人々が避難場所に避難し、避難場所で生活する場合がある。避難者は、避難場所でトイレを使用したいときがあるが、災害の状況によっては、下水本管などが破損してトイレを使用することができないときがあった。
【０００３】
そこで、例えば特許文献１には、仮設トイレを避難場所に設置できるようにするための仮設トイレ用配管システムが提案されている。この仮設トイレ用配管システムは、一端が水源に接続された第１流出管路と、一端が下水本管に接続された第２流出管路と、地中に埋設された貯留槽と、第１流出管路の他端、第２流出管路の他端および貯留槽に接続された流路切替手段とを備えている。仮設トイレは、第１流出管路の途中部分に接続された立管に接続可能である。流路切替手段は、第１流出管路から第２流出管路に水を流す第１の状態と、第１流出管路から貯留槽に水を流す第２の状態とに切り替え可能なものである。
【０００４】
この仮設トイレ用配管システムによれば、災害時、流路切替手段を第２の状態にして、立管に仮設トイレを接続する。災害時、仮設トイレから排出された汚水は、立管を通じて第１流出管路に流れる。第１流出管路内の汚水は、水源からの水の流れに沿って、貯留槽に排出される。災害時、仮設トイレから排出された汚水は、貯留槽に一時的に貯留される。
【先行技術文献】
【特許文献】
【０００５】
【特許文献１】特開２０１５−７８５１４号公報
【発明の概要】
【発明が解決しようとする課題】
【０００６】
上記の仮設トイレ用配管システムのように、仮設トイレからの汚水のみを排出するためのシステム（以下、仮設トイレ用システムともいう。）は、災害時には使用されるが、通常時には使用されないシステムである。そのため、仮設トイレ用システムに費やすコストは、少ない方が好ましい。
【０００７】
本発明はかかる点に鑑みてなされたものであり、その目的は、仮設トイレからの汚水のみを排出するためのシステムに費やすコストを削減しつつ、仮設トイレからの汚水を排出することを実現可能な排水配管システムを提供することである。
【課題を解決するための手段】
【０００８】
本願発明者は、上記の仮設トイレ用システムを設置することなく仮設トイレからの汚水を排出することで、仮設トイレ用システムに費やすコストを削減することを見出した。また、本願発明者は、建物内の排水設備から排出される排水を下水本管に排出する既設の排水配管システムに、仮設トイレを設置することで、仮設トイレからの汚水を排出することが可能であることを見出した。
【０００９】
本発明に係る排水配管システムは、上流端が建物内の排水設備に接続された枝管と、前記枝管の下流端に接続された配管部材と、本管とを備えている。前記本管は、前記配管部材よりも上流側に配置された上流側本管と、前記配管部材よりも下流側に配置された第１下流側本管とを有し、排水を下水本管に向かって排出可能である。前記配管部材は、上方に開口し、蓋および仮設トイレを選択的に取り付け可能な取付口と、前記上流側本管の下流端が接続された第１流入口と、前記枝管の下流端が接続された第２流入口と、前記第１下流側本管の上流端が接続された流出口とを有している。
【００１０】
前記排水配管システムによれば、例えば通常時には、配管部材の取付口には、仮設トイレが取り付けられておらず、蓋が取り付けられる。そのため、例えば通常時には、排水設備から排出された排水を、枝管、配管部材および本管を通じて下水本管に排出することができる。例えば災害時には、配管部材の取付口に仮設トイレが取り付けられる。そのため、例えば災害時には、仮設トイレから排出された汚水を、配管部材および本管を通じて下水本管に排出することができる。よって、前記排水配管システムでは、建物内の排水設備から排出された排水と、仮設トイレから排出された汚水との両方を下水本管に排出することができる。そのため、仮設トイレ用システムを設置することなく、仮設トイレから排出された汚水を下水本管に排出することができる。したがって、仮設トイレ用システムを設置しなくてもよいため、仮設トイレ用システムに費やすコストを削減することができる。
【００１１】
本発明の好ましい一態様によれば、前記配管部材は、前記第１流入口と前記流出口とを繋ぐインバートを有している。前記第２流入口の下端は、前記インバートよりも上方に配置されている。
【００１２】
上記態様によれば、仮設トイレから排出された汚水が、配管部材のインバートに排出された際、インバートに排出された汚水が第２流入口から枝管に向かって逆流し難くすることができる。
【００１３】
本発明の好ましい他の一態様によれば、前記排水配管システムは、前記上流側本管の上流端に繋がり、前記本管に水を供給する給水手段を備えている。
【００１４】
上記態様によれば、給水手段から上流側本管の上流端に向かって水を流すことで、その水を使用して、仮設トイレから排出された汚水であって、本管内に滞留している汚水を下流側へ向かって流すことができる。また、例えば配管部材の取付口を通じて本管内に水が流せない場合であっても、給水手段から上流側本管の上流端に向かって水を流すことで、本管内の汚水を下流側へ流すことができる。
【００１５】
本発明の好ましい他の一態様によれば、前記排水配管システムは、前記上流側本管の上流端を開閉可能な給水開閉ゲートを備えている。
【００１６】
上記態様によれば、給水開閉ゲートによって上流側本管の上流端を閉鎖することで、給水手段から本管に水を流さないようにすることができる。仮設トイレから排出された汚水を下水本管に排出する際、給水開閉ゲートによって上流側本管の上流端を開放することで、給水手段から本管に水を流すことができる。よって、給水手段から排出された水の流れに沿って、仮設トイレから排出された汚水を下水本管に向かって排出し易い。
【００１７】
本発明の好ましい他の一態様によれば、前記本管は、前記第１下流側本管よりも下流側に配置された第２下流側本管を有している。前記排水配管システムは、前記第１下流側本管の下流端と、前記第２下流側本管の上流端との間に配置され、前記第１下流側本管の下流端を開閉可能な排出開閉ゲートを備えている。
【００１８】
上記態様によれば、排出開閉ゲートによって第１下流側本管の下流端を閉鎖することで、仮設トイレから排出された汚水を、上流側本管および第１下流側本管内に一時的に貯留することができる。上流側本管および第１下流側本管内に一時的に貯留された汚水を下水本管に排出させる際には、排出開閉ゲートによって第１下流側本管の下流端を開放する。このことで、上流側本管および第１下流側本管内に一時的に貯留された汚水は、下水本管に向かって勢いよく排出されるため、汚水に混在する汚物などが本管内に付着し難くすることができる。
【００１９】
本発明の好ましい他の一態様によれば、前記本管は、前記第１下流側本管よりも下流側に配置された第２下流側本管と、前記第２下流側本管よりも下流側に配置され、下流端が前記下水本管に接続された第３下流側本管と、を有している。前記排水配管システムは、貯留槽と、前記第２下流側本管と前記第３下流側本管との間に配置され、前記第２下流側本管の下流端、前記第３下流側本管の上流端、および、前記貯留槽に繋がり、前記第２下流側本管から前記第３下流側本管に排水を流す第１の状態と、前記第２下流側本管から前記貯留槽に排水を流す第２の状態とに切り替え可能な流路切替部材と、を備えている。
【００２０】
上記態様によれば、流路切替部材の状態を第１の状態にすることで、排水設備から排出された排水、および、仮設トイレから排出された汚水を、下水本管に排出することができる。例えば下水本管が破損した場合であっても、流路切替部材の状態を第２の状態にすることで、排水設備から排出された排水、および、仮設トイレから排出された汚水を、貯留槽に排出することができる。
【００２１】
本発明の好ましい他の一態様によれば、前記本管は、平面視において直線状に延びている。
【００２２】
上記態様によれば、本管が平面視において直線状に延びていることで、汚水の流速が比較的に遅くなり難い。よって、本管内の汚水は、下水本管に向かって勢いよく排出され易いため、汚水に混在する汚物などが本管内に付着し難くすることができる。
【発明の効果】
【００２３】
本発明によれば、仮設トイレからの汚水のみを排出するためのシステムに費やすコストを削減しつつ、仮設トイレからの汚水を排出することを実現可能な排水配管システムを提供することができる。
【図面の簡単な説明】
【００２４】
【図１】実施形態に係る排水配管システムを模式的に示した平面図である。
【図２】実施形態に係る排水配管システムを模式的に示した正面図である。
【図３】実施形態に係る排水配管システムを模式的に示した正面図である。
【図４】配管部材の正面断面図である。
【図５】給水開閉ゲートの正面断面図である。
【図６】給水開閉ゲートの正面断面図である。
【図７】排出開閉ゲートの平面図である。
【図８】図７のＶＩＩＩ−ＶＩＩＩ線に沿った排出開閉ゲートの断面図である。
【図９】切替ますの平面図である。
【図１０】図９のＸ−Ｘ線に沿った切替ますの断面図である。
【発明を実施するための形態】
【００２５】
以下、図面を参照しながら、本発明に係る排水配管システムの実施形態について説明する。ただし、以下に説明する実施形態は、本発明の一実施形態に過ぎず、当然ながら本発明を限定することを意図したものではない。
【００２６】
＜実施形態＞
図１は、本実施形態に係る排水配管システム１を模式的に示した平面図である。図２および図３は、排水配管システム１を模式的に示した正面図である。図３では、仮設トイレ４が取り付けられた状態が示されている。図１および図２に示すように、本実施形態に係る排水配管システム１は、通常時には、建物５内の排水設備６から下水本管８に向かって排水を排出し、地震などの災害時には、仮設トイレ４が設置されたシステムとして使用され、仮設トイレ４から排出された汚水を下水本管８などに排出する。以下の説明において、排水には、トイレ、台所の流し台、風呂などから排出される汚水や、雨水が含まれる。上記の排水設備６は、排水を排出する設備であり、例えばトイレ、風呂、台所の流し台などが挙げられる。
【００２７】
図１に示すように、排水配管システム１は、本管１０と、枝管２０と、配管部材３０と、給水タンク４０と、給水開閉ゲート５０と、排出開閉ゲート７０と、切替ます８０と、貯留槽１００と、を備えている。
【００２８】
本管１０は、地中に埋設されている。本管１０の上流端は、給水開閉ゲート５０を介して給水タンク４０に接続され、本管１０の下流端は、下水本管８に接続されている。本管１０は、平面視において直線状に延びている。本実施形態では、本管１０は、第１本管１１〜第９本管１９を有している。本実施形態では、上流から下流に向かって、第１本管１１〜第９本管１９の順に配置されている。言い換えると、給水タンク４０から下水本管８に向かって、第１本管１１〜第９本管１９の順に配置されている。以下の説明において、給水タンク４０側および排水設備６側を上流側といい、下水本管８側を下流側という。なお、例えば本発明の配管部材が最も上流側に配置されている配管部材３０（図１において最も左に配置された配管部材３０）の場合、第１本管１１が上流側本管の一例であり、第２本管１２〜第６本管１６が第１下流側本管の一例であり、第７本管１７が第２下流側本管の一例であり、第８本管１８および第９本管１９が第３下流側本管の一例である。
【００２９】
枝管２０は、建物５内の排水設備６と本管１０とを繋ぐものである。なお、枝管２０の数は特に限定されず、例えば排水設備６の数や、配管部材３０の数に応じて決定されるものである。本実施形態では、排水設備６の数、および、配管部材３０の数は、共に５つである。そのため、枝管２０の数も５つである。枝管２０の上流端は排水設備６に接続されている。枝管２０の下流端は本管１０に接続されている。詳しくは、枝管２０の下流端は、配管部材３０に接続され、配管部材３０を介して本管１０に間接的に接続されている。
【００３０】
配管部材３０は、本管１０の途中部分に設けられている。なお、配管部材３０の数は特に限定されない。ここでは、配管部材３０は、本管１０に５つ設けられている。詳しくは、配管部材３０は、第１本管１１と第２本管１２との間、第２本管１２と第３本管１３との間、第３本管１３と第４本管１４との間、第４本管１４と第５本管１５との間、および、第５本管１５と第６本管１６との間に配置されている。なお、各配管部材３０は、同じ構成を有している。そのため、以下では、最も上流側に配置された配管部材３０の構成について説明する。
【００３１】
図４は、配管部材３０の正面断面図である。図４に示すように、配管部材３０は、排水ます３１と、立管３８とを備えている。排水ます３１は、上方に開口した有底の部材によって形成されている。この上方に開口した部分が点検口３２である。排水ます３１は、第１流入口３３と、第２流入口３４と、流出口３５とを有している。第１流入口３３、第２流入口３４および流出口３５は、それぞれ側方に開口している。第１流入口３３および流出口３５には、本管１０が接続されている。最も上流側に配置された配管部材３０の場合、第１流入口３３には第１本管１１の下流端が接続され、流出口３５には第２本管１２の上流端が接続されている。詳しい図示は省略するが、第２流入口３４には、枝管２０（図１参照）の下流端が接続されている。
【００３２】
本実施形態では、排水ます３１の底面には、インバート３６が形成されている。インバート３６は、第１流入口３３と流出口３５とを繋ぐ溝状のものである。ここで、インバート３６の上端の上下の位置とは、第１流入口３３の中心３３ｃの上下の位置から流出口３５の中心３５ｃの上下の位置の間である。
【００３３】
本実施形態では、第２流入口３４の下端は、インバート３６よりも上方に配置されている。詳しくは、第２流入口３４の下端は、インバート３６の下端よりも上方に位置し、インバート３６の上端よりも上方に位置している。第２流入口３４は、第１流入口３３よりも上方に配置され、かつ、流出口３５よりも上方に配置されている。言い換えると、第２流入口３４の中心３４ｃは、第１流入口３３の中心３３ｃよりも上方に位置し、かつ、流出口３５の中心３５ｃよりも上方に位置している。本実施形態では、第２流入口３４の下端は、第１流入口３３の上端よりも上方に位置し、かつ、流出口３５の上端よりも上方に位置している。第１流入口３３は、流出口３５よりも高い位置に配置されている。ここでは、第１流入口３３の中心３３ｃは、流出口３５の中心３５ｃよりも上方に位置している。
【００３４】
立管３８は、上下に延びており、排水ます３１の点検口３２に接続されている。立管３８は、点検口３２から上方に延びている。立管３８は、上方に向かって開口し、かつ、下方に向かって開口している。本実施形態では、上方に向かって開口した部分が取付口３９である。取付口３９には、蓋３および仮設トイレ４の便器４ａ（図３参照）を選択的に取り付け可能である。災害時以外の通常時には、取付口３９には蓋３が取り付けられている。災害時には、蓋３が取付口３９から取り外され、取付口３９には、仮設トイレ４の便器４ａが取り付けられる。
【００３５】
図２に示すように、給水タンク４０は、本管１０に流す水が貯められるタンクである。供給タンク４０は、本管１０の第１本管１１の上流端と繋がり、本管１０に水を供給することが可能なものである。給水タンク４０は、本発明の給水手段の一例である。給水タンク４０には、例えば雨水が貯められている。しかしながら、給水タンク４０には、雨水以外の水、例えば異物が混在されていない比較的にきれいな水であってもよい。図１に示すように、給水タンク４０には、内部の水が排出される給水口４１が形成されている。給水タンク４０は、地中に埋設されていてもよいし、地上に配置されていてもよい。
【００３６】
給水開閉ゲート５０は、本管１０（詳しくは第１本管１１）の上流端を開閉するものである。給水開閉ゲート５０によって本管１０の上流端が閉鎖されることで、給水タンク４０内の水が本管１０に流れることを塞き止められる。一方、給水開閉ゲート５０によって本管１０の上流端が開放されることで、給水タンク４０内の水を本管１０に流すことができる。なお、給水開閉ゲート５０の構成は特に限定されない。
【００３７】
図５および図６は、給水開閉ゲート５０の正面断面図である。本実施形態では、図５に示すように、給水開閉ゲート５０は、有底筒状の本体５１と、本体５１の内部に配置される移動部材６０とを有している。本体５１は、上方に開口した点検口５２と、側方に開口した流出口５３とを有している。点検口５２には、上下に延びた立管５９が接続されている。流出口５３には、本管１０（例えば第１本管１１）の上流端が接続されている。ここでは、流出口５３には、本体５１の内部に向かって突出した筒状の突出筒部５５が嵌め込まれている。
【００３８】
移動部材６０は、本体５１の内部において上下に移動可能なものである。移動部材６０は、横筒部６１と、縦筒部６２とを有している。横筒部６１は、水平方向に延びている。ここでは、横筒部６１には、作業者が操作するための取っ手６４が設けられている。また、横筒部６１の下流端の上部には、流出口５３側に向かって突出した突起６３が形成されている。この突起６３は、流出口５３に嵌め込まれた突出筒部５５と当接可能である。ここでは、移動部材６０における下方への移動は、突起６３と突出筒部５５とが当接したときに規制される。突起６３と突出筒部５５とが当接したときに、横筒部６１と流出口５３とが連通した状態となる。
【００３９】
縦筒部６２は、上下に延びた筒状のものである。縦筒部６２は、上方に開口した上部開口６５と、下方に開口した下部開口６６と、を有している。上部開口６５には、給水タンク４０の給水口４１に接続された給水管４５が挿入されている。図１に示すように、給水管４５の途中部分には、汲み上げポンプ４６が設けられている。図５に示すように、下部開口６６は本体５１内と繋がっており、給水タンク４０内の水が縦筒部６２を通じて本体５１に一度排出される。本実施形態では、縦筒部６２の側部に横筒部６１が設けられており、横筒部６１は、縦筒部６２の側部から流出口５３側に向かって延びている。縦筒部６２は、横筒部６１と一体となって上下に移動可能である。
【００４０】
移動部材６０は、開放位置Ｐ１（図６参照）と、閉鎖位置Ｐ２（図５参照）との間で移動可能である。開放位置Ｐ１とは、図６に示すように、横筒部６１が流出口５３よりも上方に位置するような移動部材６０の位置である。開放位置Ｐ１のとき、流出口５３は、本体５１の内部と繋がっている状態となる。開放位置Ｐ１のとき、給水タンク４０内の水は、縦筒部６２の下部開口６６を通じて本体５１内に一度排出される。そして、本体５１内の水位が流出口５３の高さまで達したとき、流出口５３から本管１０に向かって水が流れる。よって、開放位置Ｐ１のとき、給水タンク４０内の水を、本管１０に流すことができる。閉鎖位置Ｐ２とは、図５に示すように、横筒部６１の突起６３と、流出口５３に嵌め込まれた突出筒部５５とが当接したときの移動部材６０の位置である。閉鎖位置Ｐ２のとき、流出口５３は、移動部材６０の縦筒部６２の側部によって閉鎖されている。そのため、給水タンク４０内の水を、本管１０に流すことができない。このようにして、給水開閉ゲート５０によって、本管１０の上流端を開閉することができる。
【００４１】
次に、図１に示す排出開閉ゲート７０について説明する。図２に示すように、排出開閉ゲート７０は、配管部材３０よりも下流側の本管１０の部分に設けられ、本管１０を開閉可能なものである。詳しくは、排出開閉ゲート７０は、本管１０の第６本管１６と第７本管１７との間に配置され、第６本管１６の下流端を開閉可能である。なお、排出開閉ゲート７０の構成は特に限定されない。
【００４２】
図７は、排出開閉ゲート７０の平面図である。図８は、図７のＶＩＩＩ−ＶＩＩＩ線に沿った排出開閉ゲート７０の断面図である。図７に示すように、排出開閉ゲート７０は、例えばゲート本体７１と、ゲート板７２とを備えている。図８に示すように、ゲート本体７１は、有底筒状部の部材であり、上部には、上方に開口した点検口７３が形成されている。点検口７３には、例えば立管７９が接続されている。ゲート本体７１は、流入口７５と、流出口７６とを有している。流入口７５および流出口７６は、側方に向かって開口しており、平面視において対向している。流入口７５および流出口７６には、本管１０が接続されている。詳しくは、流入口７５には、第６本管１６の下流端が接続されている。流出口７６には、第７本管１７の上流端が接続されている。
【００４３】
ゲート本体７１には、溝７７が形成されている。図７に示すように、流入口７５から流出口７６に向かう方向を排出方向Ｄ１としたとき、溝７７は、平面視において流入口７５と流出口７６との間に設けられ、平面視において排出方向Ｄ１と直交する方向Ｄ２に向かって延びている。溝７７は、ゲート本体７１の底部および側部に形成されている。
【００４４】
図８に示すように、ゲート板７２は、ゲート本体７１の内部に配置されるものである。ゲート板７２は、ゲート本体７１の溝７７に嵌め込まれるものであり、上下に延びた部材である。ゲート板７２が溝７７に嵌め込まれたとき、ゲート本体７１の内部の空間は、流入口７５側の空間と、流出口７６側の空間とに２分割される。このとき、流入口７５からゲート本体７１内に流入した排水は、ゲート板７２によって塞き止められ、流出口７６には流れない。このように、ゲート本体７１の溝７７にゲート板７２を嵌め込むことで、排出開閉ゲート７０によって本管１０の途中部分を閉鎖することができる。
【００４５】
一方、ゲート本体７１の溝７７にゲート板７２を嵌め込んでいないとき、流入口７５からゲート本体７１内に流入した排水は、流出口７６から排出される。このように、ゲート本体７１内にゲート板７２を配置しない状態にすることで、排出開閉ゲート７０によって本管１０を開放させた状態にすることができる。
【００４６】
図１に示す切替ます８０は、本発明の流路切替部材の一例であり、排水の流路を切り替えることが可能なますである。なお、流路切替部材は、切替ます８０に限定されず、例えば管継手であってもよい。切替ます８０は、配管部材３０および排出開閉ゲート７０よりも下流側の本管１０の部分に設けられ、本管１０内の排水の流路を切り替えるものである。本実施形態では、切替ます８０は、本管１０の第７本管１７と第８本管１８との間に配置され、第７本管１７、第８本管１８および貯留槽１００に接続されている。切替ます８０は、第７本管１７から第８本管１８に排水を流す第１の状態と、第７本管１７から貯留槽１００に排水を流す第２の状態とに切り替え可能なものである。なお、切替ます８０の具体的な構成は特に限定されない。
【００４７】
図９は、切替ます８０の平面図である。図１０は、図９のＸ−Ｘ線に沿った切替ます８０の断面図である。図９および図１０に示すように、切替ます８０は、ます本体８１と、閉鎖体８２とを備えている。ます本体８１は、内部に空間を有し、上方に開口している。ます本体８１には、図１０に示すように、上方に開口した点検口９１と、側方に開口した流入口９２と、側方に開口した第１流出口９３と、下方に開口した第２流出口９４が形成されている。点検口９１には、点検筒８９（図２参照）が接続されている。図１０に示すように、流入口９２には、第７本管１７の下流端が接続されている。第１流出口９３には、第８本管１８の上流端が接続されている。第２流出口９４には、流出管９９の上流端が接続されており、流出管９９を介して貯留槽１００（図２参照）が接続されている。
【００４８】
閉鎖体８２は、第２流出口９４を閉鎖可能なものである。閉鎖体８２は、排水が流れるインバート９５（図９参照）と、第２流出口９４と嵌合可能な嵌合部９６とを備えている。本実施形態では、閉鎖体８２の嵌合部９６を第２流出口９４に嵌め込んだ状態が、第１の状態である。第１の状態では、第７本管１７内の排水は、流入口９２を通じてます本体８１内に流入する。そして、ます本体８１内に流入した排水は、インバート９５を通り、第１流出口９３から第８本管１８へ流出する。
【００４９】
本実施形態では、閉鎖体８２を取り外した状態が、第２の状態である。第２の状態では、第７本管１７内の排水は、流入口９２を通じてます本体８１内に流入する。ます本体８１内に流入した排水は、第２流出口９４を通じて貯留槽１００に排出される。
【００５０】
図３に示す貯留槽１００は、例えば仮設トイレ４から排出した汚水、または、排水を貯留する槽である。上述のように、貯留槽１００は、流出管９９を介して切替ます８０の第２流出口９４（図１０参照）に接続されている。貯留槽１００は、内部に密封された空間を有している。貯留槽１００が密封式であることで、貯留槽１００内の汚水などの排水から発生する悪臭が外部に漏れないようになっている。本実施形態では、貯留槽１００は地中に埋設されている。しかしながら、貯留槽１００は、地上に配置されていてもよい。
【００５１】
本実施形態では、図１に示すように、本管１０の途中部分には、公共ます１１０が設けられている。詳しくは、公共ます１１０は、本管１０の第８本管１８と第９本管１９との間に配置されており、第８本管１８の下流端、および、第９本管１９の上流端に接続されている。なお、公共ます１１０は、従来公知のものを採用することができるため、ここでの説明は省略する。第９本管１９の下流端には、下水本管８が接続されている。
【００５２】
以上、本実施形態に係る排水配管システム１の構成について説明した。次に、排水配管システム１の使用方法について説明する。排水配管システム１は、通常時と、災害時とで使用方法が異なる。通常時、排水配管システム１は、図１に示すように、建物５内の排水設備６から排出された排水を、下水本管８に流すように構成されている。図３に示すように、災害時、排水配管システム１は、仮設トイレ４から排出された汚水を、下水本管８または貯留槽１００に流すように構成されている。
【００５３】
ここでは、まず通常時における排水配管システム１の使用方法について説明する。通常時、給水タンク４０は使用されない。そのため、給水開閉ゲート５０の移動部材６０は、閉鎖位置Ｐ２（図５参照）に配置され、給水開閉ゲート５０によって本管１０の上流端は、閉鎖された状態となる。排出開閉ゲート７０では、ゲート板７２がゲート本体７１の溝７７から取り外されており、排出開閉ゲート７０は、開放された状態である。また、切替ます８０は第１の状態であり、図１０に示すように、閉鎖体８２の嵌合部９６は、第２流出口９４に嵌め込まれている。通常時において、図２に示すように、配管部材３０の立管３８の取付口３９には、仮設トイレ４は取り付けられておらず、蓋３（図４参照）が取り付けられている。
【００５４】
通常時、排水設備６から排出された排水は、枝管２０を通じて配管部材３０の排水ます３１に排出される。ここでは、排出開閉ゲート７０は開放されているため、排水ます３１内に排出された排水は、流出口３５から下流側の本管１０に向かって流れた後、切替ます８０のます本体８１内に排出される。ここでは、切替ます８０の閉鎖体８２は第２流出口９４に嵌め込まれているため、切替ます８０のます本体８１内に排出された排水は、第１流出口９３から排出され、第８本管１８、公共ます１１０および第９本管１９を通じて下水本管８に排出される。
【００５５】
次に、災害時における排水配管システム１の使用方法について説明する。災害時には、仮設トイレ４（図３参照）が使用される。そのため、配管部材３０の立管３８の取付口３９から蓋３が取り外され、取付口３９には、仮設トイレ４の便器４ａが取り付けられる。災害時において、給水タンク４０内の水は、適宜使用され、給水タンク４０内の水を本管１０に流す際に、給水開閉ゲート５０は開放される。また、災害時において、排出開閉ゲート７０は適宜開閉される。
【００５６】
災害時において、仮設トイレ４が設置されたとき、給水開閉ゲート５０および排出開閉ゲート７０は共に閉鎖された状態である。そのため、仮設トイレ４から排出された汚水は、配管部材３０を通じて本管１０に排出された後、給水開閉ゲート５０と排出開閉ゲート７０との間の本管１０の部分（ここでは、第１本管１１〜第６本管１６）、および、配管部材３０の排水ます３１内に一時的に貯留された状態となる。以下、給水開閉ゲート５０と排出開閉ゲート７０との間の本管１０の部分、および、配管部材３０の排水ます３１内のことを総称して半貯留部１２０（図３参照）という。
【００５７】
半貯留部１２０内に汚水がある程度貯留された後、本管１０の下流側（ここでは、第７本管１７）に向かって汚水を排出させる。このとき、まず排出開閉ゲート７０を開放させると共に、給水開閉ゲート５０の移動部材６０の位置を開放位置Ｐ１（図６参照）にすることで、給水開閉ゲート５０を開放させる。そして、汲み上げポンプ４６を操作して、給水タンク４０内の水を本管１０へ流す。このことで、半貯留部１２０内に一時的に貯留されていた汚水は、給水タンク４０内の水の流れによって、本管１０の下流側に向かって排出される。なお、半貯留部１２０内の汚水がある程度排出された後、再度、半貯留部１２０に汚水を一時的に貯留するため、排出開閉ゲート７０を閉鎖する。このことで、給水ポンプ４０内の水を半貯留部１２０に供給することができ、半貯留部１２０を水が貯留された状態にすることができる。半貯留部１２０に水を貯留した後、給水開閉ゲート５０の移動部材６０の位置を閉鎖位置Ｐ２（図６参照）にすることで、給水開閉ゲート５０を閉鎖する。災害時には、半貯留部１２０への汚水の一時的な貯留と、半貯留部１２０に貯留された汚水の排出とが繰り返し行われる。
【００５８】
なお、災害時において、排出開閉ゲート７０が開放されて、半貯留部１２０内の汚水が排出されたとき、その排水は、下水本管８に排出されてもよいし、貯留槽１００に排出されてもよい。例えば、災害時に下水本管８が破損していない場合には、半貯留部１２０から排出された汚水を、下水本管８に排出させる。このとき、切替ます８０において、図１０に示すように、閉鎖体８２の嵌合部９６を第２流出口９４に嵌め込む。このことで、第２流出口９４が閉鎖され、半貯留部１２０から排出された汚水は、切替ます８０の第１流出口９３を通じて下水本管８に排出される。一方、災害時に下水本管８が破損した場合には、半貯留部１２０から排出された汚水を、貯留槽１００に排出させる。このとき、切替ます８０において、閉鎖体８２の嵌合部９６を第２流出口９４から取り外す。このことで、第２流出口９４は開放され、半貯留部１２０から排出された汚水は、切替ます８０の第２流出口９４を通じて貯留槽１００に排出される。
【００５９】
以上、本実施形態では、図１に示すように、排水配管システム１は、上流端が建物５内の排水設備６に接続された枝管２０と、枝管２０の下流端に接続された配管部材３０と、排水を下水本管８に向かって排出可能な本管１０とを備えている。本管１０は、例えば最も上流側に配置された配管部材３０よりも上流側に配置された第１本管１１と、最も上流側に配置された配管部材３０よりも下流側に配置された第２本管１２とを有している。例えば最も上流側に配置された配管部材３０は、図４に示すように、上方に開口し、蓋３および仮設トイレ４（図３参照）の何れか一方を取り付け可能な取付口３９と、第１本管１１の下流端が接続された第１流入口３３と、枝管２０の下流端が接続された第２流入口３４と、第２本管１２の上流端が接続された流出口３５とを有する。
【００６０】
通常時には、配管部材３０の取付口３９には、仮設トイレ４が取り付けられておらず、蓋３が取り付けられる。そのため、通常時には、排水設備６から排出された排水を、枝管２０、配管部材３０および本管１０を通じて下水本管８に排出することができる。災害時には、配管部材３０の取付口３９に仮設トイレ４（図３参照）が取り付けられる。そのため、災害時には、仮設トイレ４から排出された汚水を、配管部材３０および本管１０を通じて下水本管８などに排出することができる。よって、本実施形態では、建物５内の排水設備６から排出された排水と、仮設トイレ４から排出された汚水との両方を下水本管８に排出することができる。そのため、仮設トイレからの汚水のみを排出するためのシステムである仮設トイレ用システムを設置することなく、仮設トイレ４から排出された汚水を下水本管８に排出することができる。したがって、仮設トイレ用システムを設置しなくてもよいため、仮設トイレ用システムに費やすコストを削減することができる。
【００６１】
本実施形態では、配管部材３０は、図４に示すように、第１流入口３３と流出口３５とを繋ぐインバート３６を有している。第２流入口３４は、インバート３６よりも上方に配置されている。このことによって、仮設トイレ４から排出された汚水が、配管部材３０のインバート３６に排出された際、インバート３６に排出された汚水が第２流入口３４から枝管２０に向かって逆流し難くすることができる。
【００６２】
本実施形態では、排水配管システム１は、図１に示すように、本管１０の第１本管１１の上流端に繋がり、本管１０に水を供給する給水タンク４０と、第１本管１１の上流端を開閉可能な給水開閉ゲート５０とを備えている。このことによって、給水タンク４０から第１本管１１の上流端に向かって水を流すことで、その水を使用して、仮設トイレ６から排出された汚水であって、本管１０内に滞留している汚水を下流へ向かって流すことができる。また、例えば配管部材３０の取付口３９を通じて本管１０内に水が流せない場合であっても、給水タンク４０から第１本管１１の上流端に向かって水を流すことで、本管１０内の汚水を下流側へ流すことができる。
【００６３】
また、給水開閉ゲート５０によって第１本管１１の上流端を閉鎖することで、給水タンク４０内の水を本管１０に流さないようにすることができる。仮設トイレ４から排出された汚水を下水本管８に排出する際、給水開閉ゲート５０によって第１本管１１の上流端を開放することで、給水タンク４０内の水を本管１０に流すことができる。よって、給水タンク４０から排出された水の流れに沿って、仮設トイレ４から排出された汚水を下水本管８に向かって排出し易い。
【００６４】
本実施形態では、排水配管システム１は、図３に示すように、本管１０の第６本管１６の下流端と、第７本管１７の上流端との間に配置され、第６本管１６の下流端（言い換えると、第７本管１７の上流端）を開閉可能な排出開閉ゲート７０を備えている。このことによって、排出開閉ゲート７０によって第６本管１６の下流端を閉鎖することで、仮設トイレ４から排出された汚水を、半貯留部１２０に一時的に貯留することができる。半貯留部１２０に一時的に貯留された汚水を下水本管８に排出させる際には、排出開閉ゲート７０によって第６本管１６の下流端を開放する。このことで、半貯留部１２０に一時的に貯留された汚水は、下水本管８に向かって勢いよく排出されるため、汚水に混在する汚物などが本管１０内に付着し難くすることができる。
【００６５】
本実施形態では、本発明の流路切替部材の一例である切替ます８０は、第７本管１７と第８本管１８との間に配置され、第７本管１７の下流端、第８本管１８の上流端、および、貯留槽１００に接続されている。切替ます８０は、第７本管１７から第８本管１８に排水を流す第１の状態と、第７本管１７から貯留槽１００に排水を流す第２の状態とに切り替え可能である。このことによって、切替ます８０の状態を第１の状態にすることで、排水設備６から排出された排水、および、仮設トイレ４から排出された汚水を、下水本管８に排出することができる。例えば下水本管８が破損した場合であっても、切替ます８０の状態を第２の状態にすることで、排水設備６から排出された排水、および、仮設トイレ４から排出された汚水を、貯留槽１００に排出することができる。
【００６６】
本実施形態では、図１に示すように、本管１０は、平面視において直線状に延びている。このことによって、本管１０内の汚水の流速が比較的に遅くなり難い。よって、本管１０内の汚水は、下水本管８に向かって勢いよく排出され易いため、汚水に混在する汚物などが本管１０内に付着し難くすることができる。
【００６７】
＜変形例＞
上記実施形態では、給水タンク４０が給水手段の一例であった。しかしながら、給水手段は、給水タンク４０に限定されず、水が貯留され、かつ、本管１０に向かって水が供給できるものであればよい。例えば給水手段は、地下に配置された地下水設備であってもよい。この場合、地下水設備内の地下水などの水が、例えばホースなどを介して本管１０に供給されるとよい。また、給水手段から供給される水には、雨水が含まれる。そのため、供給手段は、雨水が貯留された雨水槽であってもよい。また、給水手段は、川、海、湖、池などであってもよく、この場合、川、海、湖、池などの水がホースなどを介して本管１０に供給されるとよい。また、供給手段は、固定式のものに限定されず、移動式のものであってもよい。供給手段は、水が貯留された給水車であってもよい。
【００６８】
上記実施形態では、流路切替手段の一例である切替ます８０の第２流出口９４には、流出管９９が接続されており、流出管９９を介して貯留槽１００が接続されていた。切替ます８０の下方に貯留槽１００が配置されていた。しかしながら、貯留槽１００の配置位置は特に限定されない。例えば、貯留槽１００は、切替ます８０の側方に配置されていてもよい。また、貯留槽１００の内部に、切替ます８０が配置されていてもよい。この場合、切替ます８０を、閉鎖体８２を第２流出口９４から取り外した第２の状態にすることで、貯留槽１００の内部において、第２流出口９４と貯留槽１００とが連通した状態となる。この場合、切替ます８０を第２の状態にすることで、本管１０（詳しくは、第７本管１７）から貯留槽１００に排水を流すことができる。
【符号の説明】
【００６９】
１  排水配管システム
５  建物
６  排水設備
１０  本管
２０  枝管
３０  配管部材
３１  排水ます
３３  第１流入口
３４  第２流入口
３５  流出口
３６  インバート
３９  取付口
４０  給水タンク（給水手段）
５０  給水開閉ゲート
７０  排出開閉ゲート
８０  切替ます(流路切替部材)
１００  貯留槽
【図１】
2020125660.tif 000003
【図２】
2020125660.tif 000004
【図３】
2020125660.tif 000005
【図４】
2020125660.tif 000006
【図５】
2020125660.tif 000007
【図６】
2020125660.tif 000008
【図７】
2020125660.tif 000009
【図８】
2020125660.tif 000010
【図９】
2020125660.tif 000011
【図１０】
2020125660.tif 000012